(57)【要約】  【課題】  自動的にまたは簡単操作でダビングを行える使い勝手性の良い記録再生装置を提供する。  【解決手段】  光ディスクなど第１の記録媒体の装着時などに該第１の記録媒体の種別を判別し、判別の結果、該第１の記録媒体がライトワンス型やリライタブル型等である場合、ハードディスクなど第２の記録媒体内に保存されている撮影データまたは番組データ等を、装置が撮影や番組記録や記録データの再生を行っていない時間帯に、自動的に、または自動的なメッセージ表示に従った簡単操作により、該第１の記録媒体にダビングする構成とする。【選択図】  図１
2006294105.tif 000002
【特許請求の範囲】
【請求項１】
第１、第２の記録媒体が装着され、該第２の記録媒体から該第１の記録媒体にダビングを行う記録再生装置であって、
上記第１の記録媒体の種別を判別する記録媒体判別部と、
上記判別の結果に基づき、上記第２の記録媒体からの情報の再生と、上記第１の記録媒体への情報の記録とを制御する記録再生制御部と、
を備え、上記記録媒体判別部による上記判別の結果に基づき、上記記録再生制御部が、装置が撮影、記録または再生動作を行わない時間帯に、上記第２の記録媒体から該第１の記録媒体へのダビングを開始させる構成としたことを特徴とする記録再生装置。
【請求項２】
第１、第２の記録媒体が装着され、該第２の記録媒体から該第１の記録媒体にダビングを行う記録再生装置であって、
第１の記録媒体の種別を判別する記録媒体判別部と、
上記判別の結果に基づき、上記第２の記録媒体からの情報の再生と、上記第１の記録媒体への情報の記録とを制御する記録再生制御部と、
上記判別した第１の記録媒体の種別及び該判別結果に基づき上記記録再生制御部が実施する動作を表示する表示部と、
使用者に上記第１または第２の記録媒体の動作に対する実行確認をさせる入力部と、
を備え、上記記録媒体判別部による上記判別の結果及び上記入力部からの信号に基づき、上記記録再生制御部が、装置が撮影、記録または再生動作を行わない時間帯に、上記第２の記録媒体から上記第１の記録媒体へのダビングを開始させる構成としたことを特徴とする記録再生装置。
【請求項３】
第１、第２の記録媒体が装着され、該第２の記録媒体から該第１の記録媒体にダビングを行う記録再生装置であって、
第１の記録媒体の種別を判別する記録媒体判別部と、
上記判別の結果に基づき、上記第２の記録媒体からの情報の再生と、上記第１の記録媒体への情報の記録とを制御する記録再生制御部と、
上記第２の記録媒体に記録された情報のうちから上記第１の記録媒体へダビングさせるものを選択する選択手段と、
を備え、上記記録媒体判別部による上記判別の結果及び上記選択の結果に基づき、上記記録再生制御部が、装置が撮影、記録または再生動作を行わない時間帯に、上記第２の記録媒体から上記第１の記録媒体へのダビングを開始させる構成としたことを特徴とする記録再生装置。
【請求項４】
上記記録再生制御部は、上記記録媒体判別部が、上記第１の記録媒体の種別をライトワンス型記録媒体またはリライタブル型記録媒体と判別したときに、上記第２の記録媒体から該第１の記録媒体へのダビングを開始させる構成である請求項１、２または３に記載の記録再生装置。
【請求項５】
上記記録媒体判別部は、上記第１の記録媒体が装置内に装着された時に、該第１の記録媒体の種別を判別する構成である請求項１、２または３に記載の記録再生装置。
【請求項６】
上記記録再生制御部は、装置の電源スイッチが操作された時または装置の電源電池への充電操作が開始された時に、上記第２の記録媒体から上記第１の記録媒体へのダビングを開始する構成である請求項１、２または３に記載の記録再生装置。
【請求項７】
上記第１の記録媒体は光ディスクであり、上記第２の記録媒体はハードディスクまたはメモリカードである請求項１、２または３に記載の記録再生装置。
【請求項８】
上記第１の記録媒体は光ディスクであり、上記第２の記録媒体には受信した番組または撮影した撮影データが記録され、上記記録再生制御部は、該番組または該撮影データを該光ディスクにダビングさせる構成である請求項１、２または３に記載の記録再生装置。
【請求項９】
上記記録再生制御部は、装置の電源が電池となっている場合に、定電圧電源への接続を促す電源接続指示を行う構成である請求項１、２または３に記載の記録再生装置。
【請求項１０】
第１、第２の記録媒体が装着され、該第２の記録媒体から該第１の記録媒体にダビングを行う記録再生装置におけるダビング方法であって、
上記第１の記録媒体の種別を判別するステップと、
上記判別の結果に基づき、装置が撮影や記録や再生の動作をしていない時間帯に、上記第２の記録媒体から該第１の記録媒体へのダビング動作を開始するステップと、
を経て、上記ダビングを行うことを特徴とするダビング方法。
【発明の詳細な説明】
【技術分野】
【０００１】
本発明は複数の記録媒体を装着するビデオレコーダもしくはビデオカメラ等の記録再生装置に係り、特に、該複数の記録媒体間でダビングを行う技術に関する。
【背景技術】
【０００２】
本発明に関連する従来技術としては、例えば、特開平８−２７９２３４号公報（特許文献１）、特開２００３−２５７０２１号公報（特許文献２）及び特開２００１−１５５４７４号公報（特許文献３）に記載されたものがある。特開平８−２７９２３４号公報には、光ディスク複製装置として、マスターディスクの容量と未記録ディスクの容量を比較し、未記録ディスクの容量がマスターディスクの容量よりも小さい場合、該未記録ディスクを排出することによりマスターディスクの複製作業を速やかに行うとした技術が記載され、特開２００３−２５７０２１号公報には、光ディスク記録再生カメラとして、装着された光ディスクがファイナライズ処理済みである場合に警告表示を行い、瞬時にユーザに周知させるとした技術が記載され、特開２００１−１５５４７４号公報には、光ディスクとハードディスクを有したビデオカメラ装置において、光ディスク装置が記録困難な場合に、エラー表示を行い、ハードディスクに代替記録し、安定した記録を行うとした技術が記載されている。
【０００３】
【特許文献１】特開平８−２７９２３４号公報
【特許文献２】特開２００３−２５７０２１号公報
【特許文献３】特開２００１−１５５４７４号公報
【発明の開示】
【発明が解決しようとする課題】
【０００４】
上記従来技術は、光ディスクの残容量、ファイナライズ済み、エラー等の状態に起因した記録不可の場合の装置動作を制御するものであり、装着された光ディスクの種別によって装置動作を制御する技術ではない。例えば、光ディスクとハードディスクを内蔵したビデオカメラ等の場合には、応答性、記憶容量などの点で有利なハードディスクに撮影した画像データを保存し、このうち必要なものだけをライトワンスの光ディスクにダビングして半永久的に保存するという使い方が想定される。しかしながら、いったんハードディスクに保存したデータを、光ディスクにダビングするには、撮影動作の合間を見はからってダビングを行う必要があり作業が煩わしいため、ダビングを要するデータがハードディスクに蓄積し易い。該データが蓄積した場合には、その後の撮影の際、ハードディスクの空き容量が不足して十分な撮影が行えないなどの問題が生じることが予想される。また、ハードディスク内蔵の番組記録再生用光ディスクレコーダの場合も同様で、ハードディスクに保存した多くの番組から必要な番組だけを選択してダビングすることは操作が煩雑である上、装置を使用していない時間帯にダビングを行う必要があるという不便さがある。
本発明の課題点は、上記従来技術の状況に鑑み、記録再生装置において、装置が撮影や記録や再生の動作をしていない時間帯を利用して自動的にまたは簡単な操作でダビングを行えるようにすることである。
本発明の目的は、かかる課題点を解決して、使い勝手性の良い記録再生装置を提供することにある。
【課題を解決するための手段】
【０００５】
上記課題点を解決するために、本発明では、ビデオカメラなど記録再生装置において、光ディスクなど第１の記録媒体の装着時などに該第１の記録媒体の種別を判別し、該判別の結果、該第１の記録媒体がライトワンス型やリライタブル型等である場合、ハードディスクなど第２の記録媒体内に保存されている撮影データまたは番組データ等を、装置が撮影や番組記録や記録データの再生を行っていない時間帯、例えば装置の電源スイッチが操作された時や、装置の電源電池への充電操作が開始された時などに、自動的に、または自動的なメッセージ表示に従った簡単操作により、該第１の記録媒体にダビングする構成とする。
【発明の効果】
【０００６】
本発明によれば、ユーザは、例えばライトワンスの光ディスクを装置に装着するだけで、装置が撮影や記録や再生の動作をしていない時間帯を利用して自動的にまたは簡単操作でダビングを行うことができる。これによって、例えばハードディスク内に記憶してある撮影データや番組データなどを効率的に整理することができ、装置の使い勝手性を高めることができる。
【発明を実施するための最良の形態】
【０００７】
以下、本発明の実施例につき、図面を用いて説明する。
図１は、本発明の一実施例としての画像記録再生装置の構成例図である。
図１において、１００は、実施例としての画像記録再生装置、１０１は、画像記録再生装置１００に対し脱着可能な第１の記録媒体としての光ディスク、１０２は、光ディスク１０１に対して記録または再生を行う光ディスク装置、１０３は、第２の記録媒体としてのハードディスク、１０４は、ハードディスク１０３に対して撮影データ１１１の記録再生を行うハードディスク装置、１０５は光ピックアップ、１０６は、光ディスク１０１の種別を判別する媒体判別部、１０７は画像を撮影する撮像素子、１０８は、画像記録再生装置１００の記録再生動作を制御する記録再生制御部、１０９は、撮像素子１０７で撮影した画像データの圧縮処理等を行う映像処理部、１１０は、撮影した画像データのサムネイル処理等を行う撮影データ処理部である。かかる構成により、撮像素子１０７で撮影した撮影データ１１１を、ハードディスク装置１０４により第２の記録媒体であるにハードディスク１０３に保存し、第１の記録媒体である光ディスク１０１が画像記録再生装置１００に装着された時点、または光ディスク１０１に対して記録動作を行う前に、媒体判別部１０６による光ディスク１０１のライトワンス（１回限り記録可能なもの）、リライタブル（繰り返し記録可能なもの）等の種別を判別し、光ディスク１０１の種別がライトワンスの場合は、撮影データ１１１の保存を目的とした用途である可能性が高いため、ダビングの処理動作を開始する。
【０００８】
図２は、本発明の第２の実施例としての番組記録再生装置の構成例である。本番組記録再生装置は、放送番組等を記録したり再生したりする。図２において、上記図１におけると同様の構成要素には図１の場合と同じ符号を付す。
図２において、２００は、本発明の実施例としての番組記録再生装置、２０１は、所望の番組を受信する番組受信部、２０２は電波（図示せず）を受信する受信アンテナ、２０３は、番組受信部２０１により受信してハードディスク装置１０４に保存した番組データである。
図２の構成により、番組受信部２０１で受信した番組データ２０３を、第２の記録媒体であるハードディスク１０３に保存する。そして、番組記録再生装置２００に対して第１の記録媒体である光ディスク１０１が装着された時点、もしくは光ディスク１０１に記録動作を行う前に、媒体判別部１０６によって光ディスク１０１の種別を判別し、ライトワンスの場合は、番組データ２０３の保存を目的とした用途である可能性が高いため、ダビングの処理動作を開始する。
以下の図面中または説明文中で用いる上記図１、上記図２の場合と同様の構成要素には、該図１、該図２の場合と同じ符号を付すとする。
【０００９】
図３は、第１の記録媒体である光ディスク１０１の装着時の動作例を示す図である。図３において、３０１は、撮影する画像やユーザに対する操作メッセージを表示する表示部、３０２は、ユーザが画像記録再生装置１００に対して操作を行う操作部、３０３は操作メッセージ、３０４、３０５は、表示部３０１内の指示部を移動させる移動ボタン、３０６は、指示を決定する決定ボタンである。
図３の構成において、画像記録装置１００に光ディスク１０１が矢印ａ方向に装着されると、光ディスク１０１の種別を媒体判別部１０６（図３では図示なし）により判別し、光ディスク１０１の種別がライトワンスの場合は、ハードディスク装置１０４に記録した撮影データ１１１（図示なし）がダビングされる可能性が高いため、図３（ｂ）に示すように、表示部３０１に「光ディスクにダビングを開始しますか？」等のユーザの操作に対する操作メッセージ３０３を表示して、ユーザにその意思を問い合わせし、ユーザは、その回答を移動ボタン３０４、３０５で選択し、決定ボタン３０６で「決定」の操作を行う。これにより、ユーザがダビング動作を不要とする場合は、確実にダビング動作を停止させることができ、光ディスクの不要使用を防ぐことができる。
【００１０】
図４は、本発明の記録再生装置におけるダビング動作の説明図である。
図４において、装置に光ディスクが装着される（ステップＳ４０１）と、光ディスクに記録された情報からメディアの種別を判別し（ステップＳ４０２、ステップＳ４０３）、ライトワンスの光ディスクであった場合（ステップＳ４０４）は、空き容量を確認し（ステップＳ４０６）、ハードディスク内の記録データを確認し（ステップＳ４０７）、ダビング動作の開始をユーザに問い合わせる（ステップＳ４０８）。光ディスクがリライタブルの光ディスクであった場合（ステップＳ４０５）は、撮影用途である可能性が高いため、新規ディスクか否かを確認し（ステップＳ４０９）、新規ディスクの場合は初期化を行い、撮影モードを起動して（ステップＳ４１０）スタンバイ状態となる（ステップＳ４１１）。
【００１１】
図５及び図６は、第２の記録媒体であるハードディスク１０３内の撮影データの合計容量がライトワンスの光ディスクの空き容量より大きい場合の動作例を示す図である。
図５において、５０１、５０２、５０３、５０４はそれぞれ、撮影データ１１１の分割された撮影シーン、５０５は、ハードディスク内または光ディスク内の撮影データのサムネイル（例えば各シーンの最初の画面等）５１１、５１２、５１３、５１４を表示し、ユーザの要・不要の選択の表示（選択表示）５２０、５２１、５２２、５２３を表示する表示部である。本図５の例では撮影データの総容量がＡであり、これに対して、装着された光ディスク１０１の空き容量Ｃが、Ａ＞Ｃの関係にあるとき、全撮影データのダビングは困難であるため、表示部５０５にハードディスク１０３内の撮影データのサムネイル５１０、５１１、５１２、５１３を表示し、ユーザに不要なシーン５０２のサムネイル５１１を選択させる（５２１）。その結果、選択されたダビングを必要とする撮影シーン５０１、５０３、５０４の合計容量は、撮影データ処理部１１０で処理され、Ｂと算出される。Ｂ＜Ｃとなる場合は、選択された撮影シーン５０１、５０３、５０４をダビング可能となる。
【００１２】
図６は、撮影データ１１１の各シーンの選択動作の説明図である。
図６において、６０１は、撮影シーンのサムネイルを表示するシーン表示部、６０２は、各シーンの要・不要の選択を行うシーン選択部、６０３は、シーン選択部６０２において、現在、選択の対象となっている対象部である。シーン表示部６０１に撮影データ１１１の各シーンのサムネイルを表示し、操作メッセージ３０３としては、例えば「ダビングするシーンを選択してください。」と表示する。ユーザは、シーン選択部６０２の対象部６０３を移動ボタン３０４、３０５で移動させながら、必要なシーンを指定する。決定ボタン３０６を押す度に対象部６０３が明暗に切り替わる構成となっている。これにより、要、不要が明示的に表示可能となる。さらに選択された各シーンの総容量を算出し、その総容量が光ディスク１０１（図示なし）の空き容量より依然として大きい場合は、図６（ｂ）に示すように、操作メッセージ３０３に「空き容量がたりません。シーンを再度選択してください。」等の表示を行い、ダビング可能な容量になるようシーンの選択を行う。なお、上記図５及び上記図６においては、図１による画像記録再生装置の例を示したが、図２の番組記録再生装置において、必要な番組を選択してダビングする場合も同様である。
【００１３】
図７及び図８は、ダビング動作開始の契機の説明図である。
図７において、７０１は、画像記録再生装置１００の電源スイッチである。図７の構成において、ライトワンスの光ディスク１０１が装着されている状態で、電源スイッチ７０１がＯＦＦされると、表示部３０１に、操作メッセージ３０３として「光ディスクにダビングを開始しますか？」が表示され、ユーザに対して、電源ＯＦＦの前にダビング動作を行うか否かを選択させる。この場合、ダビング終了後に画像記録再生装置１００の電源がＯＦＦになる。また、図７は、図１の画像記録再生装置の場合であるが、図２の番組記録再生装置の場合に同様に電源ＯＦＦまたは番組予約スイッチＯＮ等、番組記録再生装置が未使用となる契機に同様にダビングを開始することも可能となる。
【００１４】
また、図８において、８０１は、画像記録再生装置１００の電源バッテリー、８０２は充電用アダプタ、８０３は家庭用電源コンセントである。図８に示す構成においては、電源用バッテリー８０１に充電を開始すべく、充電用アダプタ８０２を家庭用コンセント８０３に接続した時点で、ダビング開始の契機と判断し、表示部３０１に操作メッセージ３０３として「光ディスクにダビングを開始しますか？」を表示し、ユーザにダビング動作を開始するか否かを選択させる。また、電源スイッチ７０１がＯＦＦされた場合において、電源が接続されていない場合は、操作メッセージ３０３として「定電圧電源に接続してください。」と表示し、ユーザに電源接続を促し、接続確認後にダビングを開始することで、装置が撮影や記録や再生の動作をしていない時間帯を有効に活用することができ、かつダビング中の電源も安定に供給されるため、確実にダビングを行うことが可能となる。
【００１５】
上記実施例によれば、ユーザはライトワンスの光ディスクを装置に装着するだけで、ほぼ自動的にダビングが行われ、さらに、ダビングを、電源スイッチのＯＮ・ＯＦＦや充電開始操作と連動させることで、装置が撮影や記録や再生の動作をしていない時間帯を利用してダビングを行うことができ、ハードディスク内の撮影データや番組データを効率的に整理でき、装置の使い勝手性を高めることができる。
なお、上記ハードディスクに替えて、メモリカードまたは他の光ディスクドライブ等を用いてもよい。
【図面の簡単な説明】
【００１６】
【図１】本発明の実施例としての画像記録再生装置の構成例図である。
【図２】本発明の実施例としての番組記録再生装置の構成例図である。
【図３】光ディスク装着時の動作例を示す図である。
【図４】ダビング動作の説明図である。
【図５】ダビングするデータの選択の説明図である。
【図６】ダビングするデータの選択の説明図である。
【図７】ダビング開始契機を電源スイッチのＯＦＦとした場合の説明図である。
【図８】ダビング開始契機をバッテリーの充電開始とした場合の説明図である。
【符号の説明】
【００１７】
１００…画像記録再生装置、
１０１…光ディスク、
１０３…ハードディスク、
１０６…媒体判別部、
１０８…記録再生制御部、
１１１…撮影データ、
３０１…表示部、
３０３…操作メッセージ、
６０１…シーン表示部、
６０２…シーン選択部、
７０１…電源スイッチ、
８０１…電源バッテリー、
８０２…充電用アダプタ。
【図１】
2006294105.tif 000003
【図２】
2006294105.tif 000004
【図３】
2006294105.tif 000005
【図４】
2006294105.tif 000006
【図５】
2006294105.tif 000007
【図６】
2006294105.tif 000008
【図７】
2006294105.tif 000009
【図８】
2006294105.tif 000010